(57)【要約】【課題】  観察対象に対して十分な光量を供給することができ、かつ、小型化・省電力・光源の長寿命を実現することができる内視鏡を提供すること。【解決手段】  観察対象を記録する場合、操作部を操作して記録モードとする。  この際、制御部がＬＥＤ電源３１に指令して、通常モードにおける電流値よりも大きい出力のパルス電流をＬＥＤユニットに供給する。こうして、ＬＥＤチップから通常よりも増加した出射光量の出射光が出射され、観察対象を照射する。  同時に記録部４３がＣＣＵ部に指令して、ＣＣＤが取り込んだ観察対象の観察画像を取り込み記録する。【選択図】  図４
2006101971.tif 000002
【特許請求の範囲】
【請求項１】
挿入部の先端部に複数のＬＥＤチップを有する照明部を備える内視鏡であって、
観察対象の観察画像を記録する記録部と、
該記録部によって観察画像を記録する際に、前記照明部の出射光量を一時的に増加させる制御部とを備えていることを特徴とする内視鏡。
【請求項２】
前記照明部の出射光量を増加させる際に、前記制御部が、パルス電流を前記照明部に供給することを特徴とする請求項１に記載の内視鏡。
【請求項３】
前記ＬＥＤチップの温度を検出する温度検出部を備え、
前記パルス電流のパルス間隔が、前記温度検出部が検出した前記ＬＥＤチップの温度に応じて可変とされていることを特徴とする請求項２に記載の内視鏡。
【請求項４】
前記照明部が、互いに独立して制御される第一のＬＥＤ回路と第二のＬＥＤ回路とを少なくとも備え、
前記制御部が、前記第二のＬＥＤ回路への通電量を増加して前記照明部の出射光量を増加させることを特徴とする請求項２に記載の内視鏡。
【請求項５】
前記複数のＬＥＤチップが、第一のＬＥＤチップと、該第一のＬＥＤチップよりも大きい第二のＬＥＤチップとを備え、
前記第一のＬＥＤ回路には、前記第一のＬＥＤチップが配され、前記第二のＬＥＤ回路には、前記第二のＬＥＤチップが配されていることを特徴とする請求項４に記載の内視鏡。
【請求項６】
前記第一のＬＥＤ回路が、透明基板を備え、
前記第二のＬＥＤ回路からの出射光が、前記第一のＬＥＤ回路を透過可能に配されていることを特徴とする請求項４に記載の内視鏡。
【発明の詳細な説明】
【技術分野】
【０００１】
本発明は、内視鏡に関する。
【背景技術】
【０００２】
一般に、工業用や医療用として使用されている内視鏡は、管腔内に挿入される長尺の挿入部を備えている。また、このような内視鏡においては、管腔内の観察対象を照明して観察や撮像を行うため、挿入部の先端に照明手段を備えている。
このような内視鏡にて観察対象を観察する際、観察対象をより精度よく撮像するために、観察部位の中心部付近と周辺部との明るさを適切に調整するように、それぞれを照明する二つのハロゲン光源を備える内視鏡が提案されている（例えば、特許文献１参照。）。
【０００３】
一方、より小型化を図るとともに発熱を抑えることができる照明部として、発光ダイオード（以下、ＬＥＤ）を採用したものが近年種々提案されている。また、それぞれにＬＥＤ照明を備えた光学系の異なるアダプタを挿入部の先端に着脱自在とし、観察対象や用途に応じて予め用意された複数種類の中から最適のアダプタを選択して交換使用を可能に構成した内視鏡も提案されている。
このような照明部の場合、パルス発光させて必要なときのみ観察対象を照明することができるものが提案されている（例えば、特許文献２参照。）。
【０００４】
しかしながら、光源の種類に拘わらず、通常、観察対象の周辺部から中心部を観察する際に絞りを変化させるので、ＬＥＤで照明して観察対象を観察する場合、ハロゲン光源の場合に比べて絞りによる光量変化の影響が大きく、単にパルス発光させただけでは観察対象への出射光量が不足して、観察対象が暗くなってしまうことがある。従って、観察画像を記録して計測を行おうとしても必要な精度が十分に得られない場合がある。
【特許文献１】特開２００２−１１２９５９号公報
【特許文献２】特開２００１−１０４２４９号公報
【発明の開示】
【発明が解決しようとする課題】
【０００５】
本発明は上記事情に鑑みて成されたものであり、観察対象に対して十分な光量を供給することができ、かつ、小型化・省電力・光源の長寿命を実現することができる内視鏡を提供することを目的とする。
【課題を解決するための手段】
【０００６】
本発明は、上記課題を解決するため、以下の手段を採用する。
本発明に係る内視鏡は、挿入部の先端部に複数のＬＥＤチップを有する照明部を備える内視鏡であって、観察対象の観察画像を記録する記録部と、該記録部によって観察画像を記録する際に、前記照明部の出射光量を一時的に増加させる制御部とを備えていることを特徴とする。
【０００７】
この内視鏡は、観察画像を記録する際のみ出射光量を増加して観察対象をより明るく照明することができる。従って、常時観察に必要な出射光量を供給しなくても、観察対象の計測精度を向上することができる。
【０００８】
また、本発明に係る内視鏡は、前記内視鏡であって、前記照明部の出射光量を増加させる際に、前記制御部が、パルス電流を前記照明部に供給することを特徴とする。
この内視鏡は、観察時にパルス電流を供給して出射光量を増加させても、観察の際に照明部の温度上昇を好適に抑えることができる。  
【０００９】
また、本発明に係る内視鏡は、前記内視鏡であって、前記ＬＥＤチップの温度を検出する温度検出部を備え、前記パルス電流のパルス間隔が、前記温度検出部が検出した前記ＬＥＤチップの温度に応じて可変とされていることを特徴とする。
この内視鏡は、温度検出部にて温度計測することによって、観察時における照明部の温度上昇を知ることができ、パルス間隔を変えて照明部が所定の温度以上にならないようにすることができる。
【００１０】
また、本発明に係る内視鏡は、前記内視鏡であって、前記照明部が、互いに独立して制御される第一のＬＥＤ回路と第二のＬＥＤ回路とを少なくとも備え、
前記制御部が、前記第二のＬＥＤ回路への通電量を増加して前記照明部の出射光量を増加させることを特徴とする。
この内視鏡は、観察時に、第二のＬＥＤ回路への通電量を増加することによって、観察に必要な光量を好適に得ることができる。
【００１１】
また、本発明に係る内視鏡は、前記内視鏡であって、前記複数のＬＥＤチップが、第一のＬＥＤチップと、該第一のＬＥＤチップよりも大きい第二のＬＥＤチップとを備え、前記第一のＬＥＤ回路には、前記第一のＬＥＤチップが配され、前記第二のＬＥＤ回路には、前記第二のＬＥＤチップが配されていることを特徴とする。
この内視鏡は、観察時には出射光量のより多い大きな第二のＬＥＤチップにて照明することができ、観察に必要な光量を好適に得ることができる。
【００１２】
また、本発明に係る内視鏡は、前記内視鏡であって、前記第一のＬＥＤ回路が、透明基板を備え、前記第二のＬＥＤ回路からの出射光が、前記第一のＬＥＤ回路を透過可能に配されていることを特徴とする。
この内視鏡は、同軸上で第一のＬＥＤ回路の基端側に第二のＬＥＤ回路を配することができ、観察画像の記録に必要な出射光量を確保でき、かつ、挿入部の先端部の小型化をより向上することができる。
【発明の効果】
【００１３】
本発明によれば、ＬＥＤ光源においても観察画像の計測に必要な出射光量を確保することができ、かつ、挿入部の先端部を小型化することができる。
【発明を実施するための最良の形態】
【００１４】
本発明に係る第１の実施形態について、図１から図４を参照して説明する。
本実施形態に係る内視鏡１は、図１に示すように、細長な挿入部２を備えている内視鏡本体３と、この内視鏡本体３の挿入部２を巻回して収納するドラム部５とを主な構成要素としている。
内視鏡本体３は、ドラム部５を回動自在に収納するケース６内に格納、保管及び搬送される。
【００１５】
内視鏡本体３の挿入部２は、図２に示すように、観察対象の管腔内に挿入される柔軟で長尺な可撓管部７を備えている。
可撓管部７の先端には、照明等の電気機器が配されたアダプタ（先端部）８が着脱可能とされた、硬質で管状に形成された本体先端部１０が配されている。
【００１６】
アダプタ８は所謂直視型のものであり、対物レンズ１１がアダプタ８の中心軸線Ｃ方向に沿って配置されている。対物レンズ１１は、略円筒状に形成されたレンズ筒部１２の内部に収容され、複数のＬＥＤチップ１３が配されたＬＥＤユニット（照明部）１５と共に円筒状に形成された外側部材１６内に収容されている。
【００１７】
レンズ筒部１２は、厚肉円筒状に形成されており、ＬＥＤユニット１５が先端側に配されている。
外側部材１６の先端側には、レンズ筒部１２及びＬＥＤユニット１５が先端側から脱落するのを規制するために、径方向内方に突出した環状の内フランジ部１６ａが形成されている。そして、外側部材１６の先端には、透明円板からなるカバーガラス１７が係合されている。
【００１８】
ＬＥＤユニット１５は、軟質で円板状に形成され、複数のＬＥＤチップ１３が配されたＬＥＤ基板１８を備えており、ＬＥＤ基板１８に電源供給するアダプタ側電極２０と接続されている。
アダプタ側電極２０は、円板状に形成されて図示しない電極パターンが形成されてレンズ筒部１２の基端に配された電極基板２１と、ＬＥＤ基板１８と電極基板２１とを電気的に接続する電線部材２２と、ドーナツ状に形成された第一の導電ゴム２３とを備えている。
【００１９】
第一の導電ゴム２３は、シリコンゴム等の絶縁性のゴム素材に、ニッケル粒子や金メッキを施した金属粒子等の導電部材をドット状に埋設して構成されたものとされ、通常、ドットタイプの異方導電性ゴム等と呼ばれている。この第一の導電ゴム２３は、弾性体であるゴム素材を厚さ方向に押圧すると、その圧縮変形によって高密度化した導電部材間の導電性が増し、それによって厚み方向の通電が許容されるようになる。この際、ゴム素材が絶縁部材であることから、ゴム素材の厚み方向以外の方向（例えば、周方向）については絶縁状態が維持される。
第一の導電ゴム２３の内径がレンズ筒部１２と嵌合可能に形成され、外径が外側部材１６と嵌合可能に形成されている。
【００２０】
外側部材１６の基端部には、第一の導電ゴム２３を軸方向先端側に押圧した状態で連結部材２７が嵌合され、円筒状の接続リング２８が軸方向及び回転方向に変位可能に連結部材２７の突出端に外嵌されている。接続リング２８の内周面には、第一の雌ねじ２８Ａと第二の雌ねじ２８Ｂとが軸方向に所定距離だけ離間して設けられている。
【００２１】
本体先端部１０には、ドラム部５内に配された内視鏡制御装置３０が有するＬＥＤ電源（バッテリ等）３１からの電気配線３２と接続されて、アダプタ８の装着時にＬＥＤユニット１５と導通される第二の電極３３と、内視対象物を対物レンズ１１を介して結像させるＣＣＤ３５とが配されている。
【００２２】
第二の電極３３は、軸線Ｃ方向先端側に配されてアダプタ８装着時に第一の導電ゴム２３と接触可能とされる第二の導電ゴム３６と、可撓性を有して第二の導電ゴム３６と軸線Ｃ方向に積層構造とされて可撓性を有するフレキ基板３７とを備えている。
第二の導電ゴム３６は、第一の導電ゴム２３と同様にドーナツ状に形成されており、第一の導電ゴム２３と同様の構造を有している。
フレキ基板３７には、第二の導電ゴム３６と接触する面に図示しない電極パターンが形成されている。
【００２３】
本体先端部１０の外周面には、第一の雌ねじ２８Ａ及び第二の雌ねじ２８Ｂと螺合可能な固定用の雄ねじ３８が設けられている。そして、この雄ねじ３８に対して接続リング２８の第一の雌ねじ２８Ａと第二の雌ねじ２８Ｂとを順次螺合することにより、アダプタ８を本体先端部１０に連結する。即ち、アダプタ８の接続リング２８を本体先端部１０に嵌合し、その状態のまま接続リング２８を所定方向に回転させると、雄ねじ３８が第一の雌ねじ２８Ａ、さらに、第二の雌ねじ２８Ｂに順次締め込まれるようにされている。
本体先端部１０の内側には、略円筒状に形成されてＣＣＤ３５を内部で把持するＣＣＤ支持部４０が配されている。ＣＣＤ支持部４０の外周面には、径方向外方に突出してフランジ部４１が配されている。
【００２４】
内視鏡制御装置３０は、図３に示すように、ＬＥＤ電源３１の他に、ＣＣＤ３５を制御して信号処理を行うＣＣＵ部４２と、撮像した観察対象の観察画像を記録する記録部４３と、記録部４３によって観察画像を記録する際に、ＬＥＤユニット１５からの出射光量を一時的に増加させる制御部４５とを備えている。
【００２５】
ＬＥＤ電源３１は、通常観察を行う通常モードにおいては所定の定常電流を供給し、観察対象を記録する記録モードにおいては通常時の電流に加えてさらに所定の大きさのパルス電流を出力するようにされている。
制御部４５及び記録部４３は、ドラム部５に配された操作部４６と接続されており、観察画像を記録部４３にて記録する場合には、操作部４６から操作可能とされている。
【００２６】
次に、本実施形態に係る内視鏡１の観察画像を記録する際の作用・効果について説明する。
まず、本体先端部１０の雄ねじ３８にアダプタ８の接続リング２８に係る第一の雌ねじ２８Ａを螺合して、第一の導電ゴム２３と第二の導電ゴム３６とを密着させる。このとき、密着部分で第一の導電ゴム２３と第二の導電ゴム３６とが押圧されて圧縮して導通状態となる。また、フレキ基板３７と第二の導電ゴム３６と、及び、第一の導電ゴム２３と電極基板２１とが接触し、アダプタ８と本体先端部１０とが電気的に接続される。
【００２７】
続いて、挿入部２を内視対象の管腔内に挿入してアダプタ８を観察対象に接近させ、通常モードを実行して、制御部４５の指示によってＬＥＤ電源３１から所定の値の電流を供給する。この状態では、ＣＣＤ３５に観察対象が撮像されていても記録部４３にて記録することはない。
【００２８】
観察対象を記録する場合、操作部４６を操作して記録モードとする。
この際、制御部４５がＬＥＤ電源３１に指令して、図４に示すように、通常モードにおける電流値よりも大きい出力のパルス電流をＬＥＤユニット１５に供給する。こうして、ＬＥＤチップ１３から通常よりも増加した出射光量の出射光が出射され、観察対象を照射する。
同時に記録部４３がＣＣＵ部４２に指令して、ＣＣＤ３５が取り込んだ観察対象の観察画像を取り込み記録する。
【００２９】
所定のパルス幅でパルス電流が供給された後は、再び通常モードに戻ってＬＥＤ電源３１からの供給電流値が通常状態に戻り、記録部４３は、観察画像を記録しない状態に戻る。
この内視鏡１によれば、観察画像を記録する際のみ出射光量を増加して観察対象をより明るく照明することができる。従って、常時観察に必要な出射光量をＬＥＤユニット１５に供給しなくても、観察対象の計測精度を向上することができる。
また、観察時にパルス電流を供給して出射光量を増加させても、パルス幅を好適に調整することによって、観察の際にＬＥＤユニット１５の温度上昇を好適に抑えることができる。
【００３０】
次に、第２の実施形態について図５及び図６を参照しながら説明する。
なお、上述した第１の実施形態と同様の構成要素には同一符号を付すとともに説明を省略する。
第２の実施形態と第１の実施形態との異なる点は、本実施形態に係る内視鏡５０の内視鏡制御装置５１が、制御部５２の指示に基づき通常モードにおけるＬＥＤユニット１５への供給電流パターンを生成する第一の調整部５３と、記録モードにおけるＬＥＤユニット１５への供給電流パターンを生成する第二の調整部５５とを備えているとした点である。
【００３１】
操作部５６は、ドラム部５から離間した位置に移動可能とされるジョイスティック部５７とされており、ジョイスティック部５７に配されたスイッチ５８を操作して通常モードと記録モードとを切替えることとされている。
第一の調整部５３は、通常モードにおいて、ＬＥＤ電源３１から供給された電流を所定の定常電流としてＬＥＤユニット１５に供給する。
【００３２】
一方、第二の調整部５５は、スイッチ５８が操作されて通常モードから記録モードに移行した際、ＬＥＤ電源３１から供給された電流を通常モードにおける電流値よりも大きい出力を有するパルス電流として所定のパルス間隔でＬＥＤユニット１５に供給する。
そして、記録モードに切り替えられた際には、ＬＥＤユニット１５へのパルス電流と同期して、パルス電流が供給された場合のみ記録部４３が駆動して観察画像を記録するものとされている。
【００３３】
この内視鏡５０によれば、記録モードでは、十分な光量を出射するときのみ記録部４３を稼動させるので、ＬＥＤユニット１５の温度上昇を好適に抑えつつ、必要な光量で観察画像を精度良く計測することができる。
【００３４】
次に、第３の実施形態について図７及び図８を参照しながら説明する。
なお、上述した他の実施形態と同様の構成要素には同一符号を付すとともに説明を省略する。
第３の実施形態と第２の実施形態との異なる点は、本実施形態に係る内視鏡６０のアダプタ６１におけるＬＥＤユニット６２が、互いに独立して制御される第一のＬＥＤ回路６３と第二のＬＥＤ回路６５とを備え、記録モードの際、不図示の制御部が第二のＬＥＤ回路６５への通電量を増加してＬＥＤユニット６２の出射光量を増加させるとした点である。
【００３５】
ＬＥＤチップ６７は、上記実施形態におけるＬＥＤチップ１３と同様の大きさとされる第一のＬＥＤチップ６８と、第一のＬＥＤチップ６８よりも大きい第二のＬＥＤチップ７０とを備えている。第一のＬＥＤ回路６３及び第二のＬＥＤ回路６５は、共に共通するＬＥＤ基板７１を備えており、第一のＬＥＤ回路６３は、第一のＬＥＤチップ６８がＬＥＤ基板７１に配され、第二のＬＥＤ回路６５は、第二のＬＥＤチップ７０がＬＥＤ基板７１に配されている。また、第１のＬＥＤ回路６３には、第一のＬＥＤチップ６８への電流をＯＮ／ＯＦＦさせる第一のＩＣ７２が配されている。
【００３６】
次に、本実施形態に係る内視鏡６０の観察画像を記録する際の作用・効果について説明する。
まず、第１の実施形態と同様に、アダプタ６１を本体先端部１０に接続してＬＥＤユニット６２に電流を供給可能な状態とする。
【００３７】
通常モードでは、制御部の指示に基づき、第一の調整部５３を介してＬＥＤ電源３１から第一のＬＥＤ回路６３及び第二のＬＥＤ回路６５に定常電流を供給する。このとき、第一のＬＥＤチップ６８及び第二のＬＥＤチップ７０とも所定の光量を出射する。この状態では、ＣＣＤ３５に観察対象が撮像されていても記録部４３にて記録することはない。
【００３８】
スイッチ５８の操作によって、通常モードから記録モードに移行した場合、図８に示すように、第一のＩＣ７２によって第一のＬＥＤ回路６３への電流供給が停止される一方、第二の調整部５５を介して、通常モードにおける電流値よりも大きい出力を有するパルス電流が所定のパルス間隔でさらに第二のＬＥＤ回路６５へ供給される。
【００３９】
この際、第一のＬＥＤチップ６８よりも大きい第二のＬＥＤチップ７０のみに大電流が供給されるため、照明光量が増大する。そして、上述のように、記録部４３がこれに同期して稼動して、パルス電流が供給された場合のみ観察画像を記録する。
【００４０】
この内視鏡６０によれば、通常モードでは、所定の定常電流を第一のＬＥＤ回路６３及び第二のＬＥＤ回路６５の双方に供給するので、第二のＬＥＤチップ７０の発光量を抑えた状態で照明することができ、第二のＬＥＤチップ７０を点灯した状態でも発熱量を抑えることができる。
また、記録モードでは、第一のＬＥＤ回路６３への電流供給を停止して、第二のＬＥＤ回路６５における第二のＬＥＤチップ７０のみをパルス状に点灯させるので、何れのＬＥＤチップも長寿命化を図ることができ、かつ、観察画像の記録に必要な出射光量を確保することができる。
【００４１】
次に、第４の実施形態について図９を参照しながら説明する。
なお、上述した他の実施形態と同様の構成要素には同一符号を付すとともに説明を省略する。
第４の実施形態と第３の実施形態との異なる点は、本実施形態に係る内視鏡７５が、第二のＬＥＤチップ７０の温度を検出する温度センサ（温度検出部）７６を備え、パルス電流のパルス間隔が、温度センサ７６が検出した第二のＬＥＤチップ７０の温度に応じて可変とされているとした点である。
【００４２】
第二のＬＥＤチップ７０をパルス発光させた場合であっても、時間の経過に伴って第二のＬＥＤチップ７０の温度が上昇していく。本実施形態に係る内視鏡７５における記録モードは、第二のＬＥＤチップ７０の温度が所定の温度（Ｔ）に到達する前後で、さらに、第一の記録モードと第二の記録モードとに分かれる。
【００４３】
第一の記録モードでは、第３の実施形態における記録モードと同様のパルス電流を供給して観察画像を記録するものとされている。
第二の記録モードでは、温度センサ７６が第二のＬＥＤチップ７０の温度がＴになったとき、第一の記録モードに係るパルス電流のパルス間隔よりも長いパルス間隔となるように第二の調整部７８にてパルス間隔が調整されたパルス電流を第二のＬＥＤ回路６５に供給する。その結果、第二のＬＥＤ回路６５における発熱量が抑えられて所定の温度で定常状態となる。
【００４４】
この内視鏡７５によれば、記録モードが長時間となっても、温度センサ７６にて第二のＬＥＤチップ７０の温度を計測することによって、第二のＬＥＤ回路６５の温度上昇を知ることができ、パルス間隔を変えて所定の温度以上にならないようにすることができる。
【００４５】
次に、第５の実施形態について図１０を参照しながら説明する。
なお、上述した他の実施形態と同様の構成要素には同一符号を付すとともに説明を省略する。
第５の実施形態と第３の実施形態との異なる点は、本実施形態に係る内視鏡８０のＬＥＤユニット８１に係る第二のＬＥＤ回路８２が、第二のＬＥＤチップ７０ではなく、第一のＬＥＤ回路６３と同じ第一のＬＥＤチップ６８を備えているとした点である。
【００４６】
第二のＬＥＤ基板７１には、第二のＬＥＤチップ７０への電流をＯＮ／ＯＦＦさせるために第一のＩＣ７２と同様の第二のＩＣ８３が配されている。
また、第一のＬＥＤチップ６８は、第二のＬＥＤ回路８２よりも第一のＬＥＤ回路６３のほうに数多く配されている。
【００４７】
次に、本実施形態に係る内視鏡８０の観察画像を記録する際の作用・効果について説明する。
まず、第１の実施形態と同様に、アダプタ８５を本体先端部１０に接続してアダプタ８５に電流を供給可能な状態とする。
【００４８】
通常モードでは、第一のＩＣ７２がＯＮになり、第一の調整部５３を介してＬＥＤ電源３１から第一のＬＥＤ回路６３に定常電流が供給され、第一のＬＥＤ回路６３に係る第一のＬＥＤチップ６８から所定の光量を出射する。一方、第二のＩＣ８３がＯＦＦとなって第二のＬＥＤ回路８２には電流が供給されない状態となる。
【００４９】
スイッチ５８操作によって、通常モードから記録モードに移行した場合、図１０に示すように、第一のＬＥＤ回路６３へはそのまま電流供給が維持される一方、第二のＩＣ８３をＯＮとし、第二の調整部５５を介して、通常モードにおいて第一のＬＥＤ回路６３に供給する電流値よりも大きい出力のパルス電流を所定のパルス間隔で第二のＬＥＤ回路８２へ供給する。
【００５０】
この際、第二のＬＥＤチップ７０のみに大電流が供給されるために第二のＬＥＤ回路８２から照明光量の大きい照射光が射出される。そして、上述のように、記録部４３がこれに同期して駆動して、パルス電流が供給された場合のみ観察画像を記録する。
この内視鏡８０によれば、第二のＬＥＤチップ７０のように大きいチップを配さなくても、第４の実施形態と同様に、通常モードと記録モードとで異なる光量の照明光を得ることができる。 
【００５１】
次に、第６の実施形態について図１１及び図１２を参照しながら説明する。
なお、上述した他の実施形態と同様の構成要素には同一符号を付すとともに説明を省略する。
第６の実施形態と第５の実施形態との異なる点は、本実施形態に係る内視鏡９０のＬＥＤユニット９１において、第一のＬＥＤ回路９２が、透明基板９３を備え、第二のＬＥＤ回路９５からの出射光が、第一のＬＥＤ回路９２の透明基板９３を透過可能に配されているとした点である。
【００５２】
透明基板９３は、円板状のガラスからなり、表面には第一のＬＥＤチップ６８が配されている。この透明基板９３の外周端からは、透明基板９３の中心部に対して対称位置からそれぞれ径方向外方に向かって薄板状に延びて屈曲可能な第一の電極片９６、９７が接続されている。
透明基板９３の表面には、第一のＬＥＤチップ６８を電気的に接続するための第一の電極パターン９８が配されており、その両端が、それぞれ第一の電極片９６、９７の表面に延びて第一の電極端子１００、１０１が形成されている。
【００５３】
第二のＬＥＤ回路９５は、円板状のアルミ基板１０２を備えている。このアルミ基板１０２は、透明基板９３と軸線Ｃの同軸上であって、透明基板９３よりも基端側に配されている。
このアルミ基板１０２には、アダプタ１０３を正面から見たとき、第一のＬＥＤチップ６８が、透明基板９３に配された第一のＬＥＤチップ６８と重ならないように配されている。このアルミ基板１０２の外周端からは、アルミ基板１０２の中心部に対して対称位置からそれぞれ径方向外方に向かって薄板状に延びて屈曲可能な第二の電極片１０４、１０５が接続されている。
【００５４】
アルミ基板１０２の表面には、第一のＬＥＤチップ６８を電気的に接続するための第二の電極パターン１０６と、透明基板９３に配された第一の電極片９６、９７を透明基板９３の裏面側に折り曲げた際に、第一の電極端子１００、１０１とそれぞれ電気的に接触可能なＬＥＤ接点１０７、１０８とが形成されている。
【００５５】
第二の電極片１０４、１０５には、第二の電極パターン１０６の両端がそれぞれ表面に延びて形成され、その端部に第二の電極端子１１０、１１１が形成されている。一方、ＬＥＤ接点１０７、１０８からも第二の電極パターン１０６と略平行に延びるパターンが形成されており、その端部に第三の電極端子１１２、１１３が配されている。
【００５６】
この第二の電極端子１１０、１１１と第三の電極端子１１２、１１３とは、第二の電極片１０４、１０５を、レンズ筒部１１４の側面に沿って基端側に折り曲げた際に、第一の導電ゴム２３の先端側端面２３Ａと電気的に接触可能とされている。
一方、本体先端部１１５に配されたフレキ基板１１６には、第二の電極端子１１０、１１１と同軸上に第一の本体側電極１１７、１１８が、及び、第三の電極端子１１２、１１３と同軸上に第二の本体側電極１２０、１２１が、本体側先端部１１５の先端面１１５Ａに形成されている。
【００５７】
次に、本実施形態に係る内視鏡９０の観察画像を記録する際の作用・効果について説明する。
まず、第１の実施形態と同様に、アダプタ１０３を本体先端部１１５に接続する。
この際、第一の導電ゴム２３が軸方向先端側に押圧され、第一の本体側電極１１７、１１８と第二の電極端子１１０、１１１、及び、第二の本体側電極１２０、１２１と第三の電極端子１１２、１１３とが導電状態となる。また、アダプタ１０３において、第一の電極端子１００、１０１とＬＥＤ接点１０７、１０８とが電気的に接触する。
【００５８】
通常モード時には、第一のＩＣ７２及び第二のＩＣ８３ともにＯＮとなって、図１２（ａ）に示すように、第一のＬＥＤ回路９２及び第二のＬＥＤ回路９５の双方に所定の電流が供給されるとともに、ＣＣＤ３５がＯＮ状態となる。こうして、第一のＬＥＤ回路９２及び第二のＬＥＤ回路９５から所定の光量を出射する。このとき、第二のＬＥＤ回路９５から出射した光は、第一のＬＥＤ回路９２における透明基板９３を透過して先端側に出射する。
【００５９】
スイッチ５８を操作して記録モードに移行した際、第一の調整部５３及び第二の調整部５５を介して、通常モードおける場合よりも出力の大きいパルス電流が、同一のタイミングで第一のＬＥＤ回路９２及び第二のＬＥＤ回路９５の双方に供給される。
【００６０】
そして、パルス電流の供給に同期してパルス電流が供給されているときのみＣＣＤ３５と記録部４３とがＯＮ状態となる。
従って、このときに観察画像を記録することによって、上述と同様に、ＬＥＤ点灯時のみ十分な照明光量下で観察画像を記録することができる。
【００６１】
また、図１２（ｂ）に示すように、第５の実施形態の場合と同様に、通常モードにおいては、第一のＩＣ７２のみをＯＮ状態として第一のＬＥＤ回路９２にのみ通電し、第二のＬＥＤ回路９５には通電しない状態としてもよい。
記録モードに移行した際には、第一のＩＣ７２をＯＦＦとして第一のＬＥＤ回路９２への通電を停止するとともに、第二のＩＣ８３をＯＮとして第二のＬＥＤ回路９５に、所定の大きさのパルス電流を供給する。
【００６２】
この内視鏡９０によれば、軸線Ｃと同軸上で第一のＬＥＤ回路９２の基端側に第二のＬＥＤ回路９５を配することができ、観察画像の記録に必要な出射光量を確保しつつ、挿入部の先端部の小型化をより向上することができる。
【００６３】
なお、本発明の技術範囲は上記実施の形態に限定されるものではなく、本発明の趣旨を逸脱しない範囲において種々の変更を加えることが可能である。
【図面の簡単な説明】
【００６４】
【図１】本発明の第１の実施形態に係る内視鏡の（ａ）内視鏡本体をケース部に格納する前の状態（ｂ）ケース内に格納した状態をそれぞれ示す斜視図である。
【図２】本発明の第１の実施形態に係る内視鏡における挿入部の先端部を示す要部断面図である。
【図３】本発明の第１の実施形態に係る内視鏡のＬＥＤユニットと内視鏡制御装置との関係を示す構成ブロック図である。
【図４】本発明の第１の実施形態に係る内視鏡の供給電流を示す状態図である。
【図５】本発明の第２の実施形態に係る内視鏡のＬＥＤユニットと内視鏡制御装置との関係を示す構成ブロック図である。
【図６】本発明の第２の実施形態に係る内視鏡の供給電流を示す状態図である。
【図７】本発明の第３の実施形態に係る内視鏡の（ａ）挿入部の先端部を示す斜視図。（ｂ）ＬＥＤユニットにおけるＬＥＤチップの接続状態を示す説明図である。
【図８】本発明の第３の実施形態に係る内視鏡の供給電流を示す状態図である。
【図９】本発明の第４の実施形態に係る内視鏡の供給電流を示す状態図である。
【図１０】本発明の第５の実施形態に係る内視鏡の（ａ）アダプタを示す正面図、（ｂ）ＬＥＤユニットにおけるＬＥＤチップの接続状態を示す説明図、（ｃ）供給電流を示す状態図である。
【図１１】本発明の第６の実施形態に係る内視鏡の挿入部の先端部を示す（ａ）分解組立図、（ｂ）斜視図である。
【図１２】本発明の第６の実施形態に係る内視鏡の（ａ）供給電流を示す状態図（ｂ）他の例における供給電流の状態図である。
【符号の説明】
【００６５】
１、５０、６０、７５、８０、９０  内視鏡
２  挿入部
１３、６７  ＬＥＤチップ
１５、６２、８１、９１  ＬＥＤユニット（照明部）
４３  記録部
４５  制御部
６３、９２  第一のＬＥＤ回路
６５、８２、９５  第二のＬＥＤ回路
６８  第一のＬＥＤチップ
７０  第二のＬＥＤチップ
７６  温度センサ（温度検出部）
９３  透明基板
【図１】
2006101971.tif 000003
【図２】
2006101971.tif 000004
【図３】
2006101971.tif 000005
【図４】
2006101971.tif 000006
【図５】
2006101971.tif 000007
【図６】
2006101971.tif 000008
【図７】
2006101971.tif 000009
【図８】
2006101971.tif 000010
【図９】
2006101971.tif 000011
【図１０】
2006101971.tif 000012
【図１１】
2006101971.tif 000013
【図１２】
2006101971.tif 000014